(57)【要約】【課題】カメラ機能使用時の消費電力を低減することができるカメラ付き携帯電話装置を提供することである。【解決手段】カメラ部を有し、前記カメラ部で画像を撮影するカメラ機能を搭載した携帯電話端末装置において、前記カメラ部で撮影した画像データに対する処理を施すＣＰＵ部をさらに備え、前記カメラ部で撮影した画像データを、前記ＣＰＵ部を介さずに転送するときには前記ＣＰＵ部をアイドル状態にする。【選択図】図１
2007235652.tif 000002
【特許請求の範囲】
【請求項１】
カメラ部を有し、前記カメラ部で画像を撮影するカメラ機能を搭載した携帯電話端末装置において、
前記カメラ部で撮影した画像データに対する処理を施すＣＰＵ部をさらに備え、
前記カメラ部で撮影した画像データを、前記ＣＰＵ部を介さずに転送するときには前記ＣＰＵ部をアイドル状態にすることを特徴とする携帯電話端末装置。
【請求項２】
カメラ部を有し、前記カメラ部で画像を撮影するカメラ機能を搭載した携帯電話端末装置において、
前記カメラ部で撮影した画像データに対する処理を施すＣＰＵ部と、前記カメラ部で撮影した画像データを表示するディスプレイ部とをさらに備え、
前記カメラ部で撮影した画像データを、前記ＣＰＵ部を介さずに前記ディスプレイ部に引き渡し、該画像データを該ディスプレイ部に直接表示し、該直接表示しているときは前記ＣＰＵ部をアイドル状態にすることを特徴とする携帯電話端末装置。
【請求項３】
前記カメラ部で撮影した画像データを、前記ＣＰＵ部を介さずに前記ディスプレイ部に引き渡すか、前記ＣＰＵ部に引き渡すかを切り替え可能にしたことを特徴とする請求項２に記載の携帯電話端末装置。
【請求項４】
カメラ部を有し、前記カメラ部で画像を撮影するカメラ機能を搭載した携帯電話端末装置において、
前記カメラ部で撮影した画像データに対する処理を施すＣＰＵ部と、該携帯電話端末装置を駆動する電池と、前記電池の残容量を検出する電池残容量検出手段とをさらに備え、
前記電池残容量検出手段による検出結果に基づいて、前記カメラ部で撮影した画像データを、前記ＣＰＵ部を介さずに転送するか否かを切り替え可能にしたことを特徴とする携帯電話端末装置。
【請求項５】
前記カメラ部で撮影した画像データを、前記ＣＰＵ部を介さずに転送するときには前記ＣＰＵ部をアイドル状態にすることを特徴とする請求項４に記載の携帯電話端末装置。
【請求項６】
カメラ部を有し、前記カメラ部で画像を撮影するカメラ機能を搭載した携帯電話端末装置において、
前記カメラ部で撮影した画像データに対する処理を施すＣＰＵ部と、前記カメラ部で撮影した画像データを表示するディスプレイ部と、該携帯電話端末装置を駆動する電池と、前記電池の残容量を検出する電池残容量検出手段とをさらに備え、
前記電池残容量検出手段による検出結果に基づいて、前記カメラ部で撮影した画像データを、前記ＣＰＵ部を介さずに前記ディスプレイ部に引き渡し、該画像データを該ディスプレイ部に直接表示するか否かを切り替え可能にしたことを特徴とする携帯電話端末装置。
【請求項７】
前記カメラ部で撮影した画像データを、前記ＣＰＵ部を介さずに前記ディスプレイ部に引き渡し、該画像データを該ディスプレイ部に直接表示し、該直接表示しているときは前記ＣＰＵ部をアイドル状態にすることを特徴とする請求項６に記載の携帯電話端末装置。
【請求項８】
カメラ部を有し、前記カメラ部で画像を撮影するカメラ機能を搭載した携帯電話端末装置において、
前記カメラ部で撮影した画像データに対する処理を施すＣＰＵ部と、前記カメラ部で撮影した画像データを表示するディスプレイ部と、該携帯電話端末装置を駆動する電池と、前記電池の残容量を検出する電池残容量検出手段とをさらに備え、
前記電池残容量検出手段による検出結果を所定値と比較し、該比較結果を、最も電池残容量が大きい第１の段階と、最も電池残容量が小さい第２の段階と、電池残容量が前記第１の段階と前記第２の段階との間である第３の段階の３段階に分類し、
前記第１の段階に分類された場合には、前記カメラ部からの画像データを前記ＣＰＵ部経由で転送を行うよう制御し、
前記第２の段階に分類された場合には、前記カメラ部を動作させないよう制御し、
前記第３の段階に分類された場合には、前記カメラ部からの画像データを前記ＣＰＵ部を介さずに前記ディスプレイ部に引き渡し、該画像データを該ディスプレイ部に直接表示するよう制御する
ことを特徴とする携帯電話端末装置。
【請求項９】
前記第３の段階に分類された場合には、前記カメラ部からの画像データを前記ＣＰＵ部を介さずに前記ディスプレイ部に引き渡し、該画像データを該ディスプレイ部に直接表示し、該直接表示しているときは前記ＣＰＵ部をアイドル状態にするよう制御することを特徴とする請求項８に記載の携帯電話端末装置。
【発明の詳細な説明】
【技術分野】
【０００１】
本発明は携帯電話端末装置に関し、特にカメラ付きの携帯電話端末装置に関する。
【背景技術】
【０００２】
近年の携帯電話端末装置の普及に伴ない、携帯電話端末装置にも様々な機能が要求され、搭載されるようになってきた。
【０００３】
たとえば最近の携帯電話端末装置の多くはカメラ機能を搭載しており、通話以外にもいわゆるデジタルカメラとしての機能も果たすものとなっている。
【０００４】
このようなカメラ付き携帯電話端末装置においては、携帯電話端末装置の通話などの基本機能とともにカメラ機能の向上が望まれている。
【０００５】
このような状況の下、特許文献１に記載の発明では、カメラで撮影した画像データを表示する際のフレームレートを向上させることを目的として、カメラで撮影した画像を、ＣＰＵを介さずに、画像データ処理部およびＬＣＤドライバを介してＬＣＤ画面に表示するようにしている。
【０００６】
【特許文献１】特開２００３−６０９５５号公報
【発明の開示】
【発明が解決しようとする課題】
【０００７】
ところで、携帯電話端末装置においては、小型化、バッテリの長寿命化の要望から、消費電力の低減が望まれている。
【０００８】
ところが、カメラ付き携帯電話装置においては、携帯電話端末装置の通話などの基本機能のほかにカメラ機能を有するため、その分、消費電力も増大してしまう。
【０００９】
一般に、カメラ付き携帯電話装置のカメラ機能使用時は、カメラモジュールからの画像データをＣＰＵ経由でディスプレイモジュールに転送するためＣＰＵが常時アクティブになってしまう。このため、カメラ付き携帯電話装置のカメラ機能使用時には多量の電流が消費されることになる。
【００１０】
特許文献１に記載の発明によれば、カメラで撮影した画像を、ＣＰＵを介さずに、画像データ処理部およびＬＣＤドライバを介してＬＣＤ画面に表示することができ、このようにすれば結果として、ＣＰＵを使用しないで済むとは思われるものの、消費電力を低減することに対して特許文献１にはその記載も示唆もなく、消費電力低減に係る動作制御に関して未だ問題を抱えたままのものであった。
【００１１】
本発明は上記の点にかんがみてなされたもので、カメラ機能使用時の消費電力を低減することができるカメラ付き携帯電話装置を提供することを目的とする。
【課題を解決するための手段】
【００１２】
本発明は、カメラ部を有し、前記カメラ部で画像を撮影するカメラ機能を搭載した携帯電話端末装置において、前記カメラ部で撮影した画像データに対する処理を施すＣＰＵ部をさらに備え、前記カメラ部で撮影した画像データを、前記ＣＰＵ部を介さずに転送するときには前記ＣＰＵ部をアイドル状態にすることを特徴とする。
【００１３】
また本発明は、カメラ部を有し、前記カメラ部で画像を撮影するカメラ機能を搭載した携帯電話端末装置において、前記カメラ部で撮影した画像データに対する処理を施すＣＰＵ部と、前記カメラ部で撮影した画像データを表示するディスプレイ部とをさらに備え、前記カメラ部で撮影した画像データを、前記ＣＰＵ部を介さずに前記ディスプレイ部に引き渡し、該画像データを該ディスプレイ部に直接表示し、該直接表示しているときは前記ＣＰＵ部をアイドル状態にすることを特徴とする。
【００１４】
また本発明は請求項２に記載の発明において、前記カメラ部で撮影した画像データを、前記ＣＰＵ部を介さずに前記ディスプレイ部に引き渡すか、前記ＣＰＵ部に引き渡すかを切り替え可能にしたことを特徴とする。
【００１５】
また本発明は、カメラ部を有し、前記カメラ部で画像を撮影するカメラ機能を搭載した携帯電話端末装置において、前記カメラ部で撮影した画像データに対する処理を施すＣＰＵ部と、該携帯電話端末装置を駆動する電池と、前記電池の残容量を検出する電池残容量検出手段とをさらに備え、前記電池残容量検出手段による検出結果に基づいて、前記カメラ部で撮影した画像データを、前記ＣＰＵ部を介さずに転送するか否かを切り替え可能にしたことを特徴とする。
【００１６】
また本発明は請求項４に記載の発明において、前記カメラ部で撮影した画像データを、前記ＣＰＵ部を介さずに転送するときには前記ＣＰＵ部をアイドル状態にすることを特徴とする。
【００１７】
また本発明は、カメラ部を有し、前記カメラ部で画像を撮影するカメラ機能を搭載した携帯電話端末装置において、前記カメラ部で撮影した画像データに対する処理を施すＣＰＵ部と、前記カメラ部で撮影した画像データを表示するディスプレイ部と、該携帯電話端末装置を駆動する電池と、前記電池の残容量を検出する電池残容量検出手段とをさらに備え、前記電池残容量検出手段による検出結果に基づいて、前記カメラ部で撮影した画像データを、前記ＣＰＵ部を介さずに前記ディスプレイ部に引き渡し、該画像データを該ディスプレイ部に直接表示するか否かを切り替え可能にしたことを特徴とする。
【００１８】
また本発明は請求項６に記載の発明において、前記カメラ部で撮影した画像データを、前記ＣＰＵ部を介さずに前記ディスプレイ部に引き渡し、該画像データを該ディスプレイ部に直接表示し、該直接表示しているときは前記ＣＰＵ部をアイドル状態にすることを特徴とする。
【００１９】
また本発明は、カメラ部を有し、前記カメラ部で画像を撮影するカメラ機能を搭載した携帯電話端末装置において、前記カメラ部で撮影した画像データに対する処理を施すＣＰＵ部と、前記カメラ部で撮影した画像データを表示するディスプレイ部と、該携帯電話端末装置を駆動する電池と、前記電池の残容量を検出する電池残容量検出手段とをさらに備え、前記電池残容量検出手段による検出結果を所定値と比較し、該比較結果を、最も電池残容量が大きい第１の段階と、最も電池残容量が小さい第２の段階と、電池残容量が前記第１の段階と前記第２の段階との間である第３の段階の３段階に分類し、前記第１の段階に分類された場合には、前記カメラ部からの画像データを前記ＣＰＵ部経由で転送を行うよう制御し、前記第２の段階に分類された場合には、前記カメラ部を動作させないよう制御し、前記第３の段階に分類された場合には、前記カメラ部からの画像データを前記ＣＰＵ部を介さずに前記ディスプレイ部に引き渡し、該画像データを該ディスプレイ部に直接表示するよう制御することを特徴とする。
【００２０】
また本発明は請求項８に記載の発明において、前記第３の段階に分類された場合には、前記カメラ部からの画像データを前記ＣＰＵ部を介さずに前記ディスプレイ部に引き渡し、該画像データを該ディスプレイ部に直接表示し、該直接表示しているときは前記ＣＰＵ部をアイドル状態にするよう制御することを特徴とする。
【発明の効果】
【００２１】
本発明によれば、カメラ機能使用時の消費電力を低減することができるカメラ付き携帯電話装置を提供することができる。
【００２２】
すなわち本発明によれば、携帯電話端末装置においてカメラ機能を使用する場合、カメラモジュールからディスプレイモジュールに直接データ出力することにより、ＣＰＵ処理を必要としないカメラプレビューを実現し、この間はＣＰＵをアイドル状態にすることができ、このアイドル状態によって消費電力を低減することができる。
【発明を実施するための最良の形態】
【００２３】
本発明は、カメラモジュールからディスプレイモジュールに出力データを直接出力することにより、カメラ機能動作時の消費電流の削減を実現することを特徴としている。
【００２４】
近年の携帯電話端末装置の多くはカメラ機能を搭載しているが、カメラ機能使用時は、カメラモジュールからの画像データをＣＰＵ経由でディスプレイモジュールに転送するためＣＰＵが常時アクティブ状態になってしまい、このため、カメラ機能使用時は多量の電流が消費されることになる。本発明では、カメラプレビュー状態においてカメラモジュールからの画像データをディスプレイモジュールに直接出力することにより、ＣＰＵをアイドル状態にすることができるようにし、これによって携帯電話端末装置の動作電流の低減を実現するものである。
【００２５】
なお、カメラプレビュー状態は、カメラ動作時の多くがこのカメラプレビュー状態であるため、本発明による消費電流の削減効果は大きい。
【００２６】
以下、本発明の実施の形態について図面を参照して詳細に説明する。
【００２７】
図１は、本発明による携帯電話端末装置の一実施の形態の動作を説明するブロック図である。
【００２８】
この図１では、カメラプレビューを、ＣＰＵをアイドル状態にして行う場合の一構成例を示している。
【００２９】
図１を参照すると、この実施の形態では、携帯電話端末装置は、カメラプレビューの省電制御システム全体を制御するＣＰＵ部１０１と、撮影した画像データを出力するカメラ部１０２と、カメラ部１０２で撮影した画像データを表示するディスプレイ部１０３と、カメラ部１０２で撮影した画像データなどを保存するメモリ部１０４とを有して構成される。
【００３０】
ここで、カメラ部１０２によって撮影され、出力される画像データはディスプレイ部１０３に直接出力され、ＣＰＵ部１０１は動作する必要がないので、ＣＰＵ部１０１はアイドル状態とされる。
【００３１】
図２も、本発明による携帯電話端末装置の一実施の形態の動作を説明するブロック図である。
【００３２】
この図２では、撮影した画像データの保存／編集などのＣＰＵによる画像処理等を行う場合の一構成例を示している。
【００３３】
ここで、カメラ部１０２によって撮影され、出力される画像データは、ＣＰＵ部１０１に対して出力され、画像データの保存／編集などの目的の画像処理等を実施し、表示用データをディスプレイ部１０３に出力する。このとき、ＣＰＵ部１０１は、画像データの保存／編集などの目的の処理を実施する必要があるためアクティブ状態とされる。
【００３４】
本発明は、ＣＰＵ１０１での、カメラ部１０２で撮影した画像データの画像処理等の有無に基づき、カメラ部１０２で撮影した画像データの出力経路を、図１に示したようにするか、図２に示したようにするか切り替えを可能としている。
【００３５】
次に、本実施の形態の動作について説明する。
【００３６】
図３は、図１および図２に示した携帯電話端末装置の動作を示すフローチャートである。
【００３７】
この図３を参照しながらカメラプレビューをＣＰＵのアイドル状態で行う動作についてさらに詳しく説明する。
【００３８】
図３を参照して説明すると、本実施の形態の携帯電話端末装置は、ユーザ操作などによって携帯電話端末装置のカメラ動作が起動した場合、カメラモジュール（カメラ部１０２）からのデータを直接ディスプレイモジュール（ディスプレイ部１０３）に出力するように制御する（Ａ−１）。
【００３９】
このとき、ＣＰＵ（ＣＰＵ部１０１）がアイドル状態になるように制御し（Ａ−２）、そのままカメラプレビューを実行する（Ａ−３）。
【００４０】
その後、ユーザ操作などによって携帯電話端末装置をカメラプレビュー状態から他の状態に遷移させるイベントが発生した場合（Ａ−４）、ＣＰＵ（ＣＰＵ部１０１）がアクティブ状態になるように制御する（Ａ−５）。
【００４１】
次に、ステップ（Ａ−４）で発生した状態遷移のイベントが、カメラ（カメラ部１０２）機能の停止処理か否かの判断を行う（Ａ−６）。
【００４２】
ステップ（Ａ−６）において、カメラ機能の停止処理の場合は、カメラ機能の停止制御を行い、カメラ動作を終了する。
【００４３】
また、ステップ（Ａ−６）において、カメラ画像の保存／編集などの、カメラ機能の停止処理以外の場合は、カメラモジュール（カメラ部１０２）からのデータ出力先を、直接ディスプレイモジュール（ディスプレイ部１０３）からＣＰＵ（ＣＰＵ部１０１）経由へと変更し、カメラ画像の保存／編集などの目的の処理を実行する（Ａ−７）。
【００４４】
また、このカメラ画像の保存／編集などの目的の処理を実行後、再び、カメラモジュール（カメラ部１０２）からのデータ出力先を直接ディスプレイモジュール（ディスプレイ部１０３）に変更し、ＣＰＵ（ＣＰＵ部１０１）をアイドル状態にしてカメラプレビューを行う。
【００４５】
本実施の形態によれば、携帯電話端末装置においてカメラ機能を使用する場合、カメラモジュールからディスプレイモジュールに直接データ出力することにより、ＣＰＵ処理を必要としないカメラプレビューにおいて、ＣＰＵをアイドル状態にすることが可能となる。また、本制御によりカメラ動作時の消費電流を削減することが可能となる。
【００４６】
次に本発明の別の実施の形態について説明する。
【００４７】
上述の実施の形態によれば、カメラプレビュー時にＣＰＵをアイドル状態にすることによって動作電流を削減することが可能となるが、カメラ画像の保存／編集などのＣＰＵ処理が必要なイベントが発生した場合にカメラデータの転送経路の切り替えなどによりパフォーマンスの低下が懸念される。
【００４８】
そこで、本実施の形態では、携帯電話端末装置の電池レベル（搭載バッテリの残容量）に応じてカメラプレビューの制御を行う携帯電話端末装置を提供する。
【００４９】
図４は、本発明による、図３とは別の実施の形態の携帯電話端末装置の動作を示すフローチャートである。
【００５０】
図４を参照して説明すると、本実施の形態の携帯電話端末装置は、ユーザ操作などによって携帯電話端末装置のカメラ動作が起動した場合（カメラ機能を使用するイベントが発生した場合）、まず搭載している電池の電圧をモニターする（Ｂ−１）。次に、この電池電圧に基づいて搭載している電池の残容量を求める。
【００５１】
次に、この求めた電池の残容量を、予め登録しておいた電池残容量と比較する（Ｂ−１）。この比較の結果、電池残容量が『大』、『中』、『小』の３つの状態に分類する。
【００５２】
ステップ（Ｂ−１）で、電池残容量が『大』の場合には、カメラモジュール（カメラ部１０２）からの画像データはＣＰＵ（ＣＰＵ部１０１）経由で転送を行い、ＣＰＵ（ＣＰＵ部１０１）をアクティブ状態のまま、ディスプレイモジュール（ディスプレイ部１０３）にてカメラプレビューを行う。
【００５３】
また、ステップ（Ｂ−１）で、電池残容量が『中』の場合には、カメラモジュール（カメラ部１０２）からの画像データをディスプレイモジュール（ディスプレイ部１０３）に直接転送し、ＣＰＵ（ＣＰＵ部１０１）をアイドル状態にしてカメラプレビューを行う。
【００５４】
さらに、ステップ（Ｂ−１）で、電池残容量が『小』の場合には、カメラモジュール（カメラ部１０２）のカメラ機能を動作させないものとする。
【００５５】
このように制御することによって本実施の形態によれば、パフォーマンスと消費電流を考慮した携帯電話端末装置のカメラ機能制御を実行することが可能となる。
【図面の簡単な説明】
【００５６】
【図１】本発明による携帯電話端末装置の一実施の形態の動作を説明するブロック図である。
【図２】本発明による携帯電話端末装置の一実施の形態の動作を説明するブロック図である。
【図３】図１および図２に示した携帯電話端末装置の動作を示すフローチャートである。
【図４】本発明による、図３とは別の実施の形態の携帯電話端末装置の動作を示すフローチャートである。
【符号の説明】
【００５７】
１０１  ＣＰＵ部
１０２  カメラ部
１０３  ディスプレイ部
１０４  メモリ部
【図１】
2007235652.tif 000003
【図２】
2007235652.tif 000004
【図３】
2007235652.tif 000005
【図４】
2007235652.tif 000006